(57)【要約】【課題】画素の位置に応じて異なる駆動制御および異なる映像処理によらずに、走査方向に応じた階調ムラを視認されにくくすること。【解決手段】電気光学装置は、２次元配置された複数の画素と、開状態又は閉状態になる右目右眼用の第１シャッターおよび左目用の第２シャッターを有する３Ｄ眼鏡における第１シャッターおよび第２シャッターの開閉の制御を行う制御手段と、複数の画素を第１方向に走査して一の画素群を選択する選択手段であって、第１シャッターおよび第２シャッターの双方が閉状態である第１期間ならびに第１シャッターおよび第２シャッターの少なくとも一方が開状態である第２期間の少なくとも一方の期間において、第１方向および第１方向と異なる第２方向の２方向に複数の画素を走査して一の画素群を選択する選択手段と、選択手段により選択されている一の画素群に対応する階調値を示す信号を、一の画素群に供給する供給手段とを有する。【選択図】図５
2013064919.tif 000002
【特許請求の範囲】
【請求項１】
２次元配置された複数の画素と、
開状態又は閉状態になる右目用の第１シャッターおよび開状態又は閉状態になる左目用の第２シャッターを有する３Ｄ眼鏡における前記第１シャッターおよび前記第２シャッターの開閉の制御を行う制御手段と、
前記複数の画素を第１方向に走査して一の画素群を選択する選択手段であって、前記第１シャッターおよび前記第２シャッターの双方が閉状態である第１期間ならびに前記第１シャッターおよび前記第２シャッターの少なくとも一方が開状態である第２期間の少なくとも一方の期間において、第１方向および前記第１方向と反対方向の第２方向の２方向に前記複数の画素を走査して一の画素群を選択する選択手段と、
前記選択手段により選択されている前記一の画素群に対応する階調値を示す信号を、前記一の画素群に供給する供給手段と
を有する電気光学装置。
【請求項２】
前記複数の画素は、列方向である前記第１方向および前記第１方向と直交する行方向に沿って２次元配置され、
前記選択手段は、前記複数の画素のうち、奇数行の画素および偶数行の画素の一方を前記第１方向に走査し、他方を前記第２方向に走査して、前記一の画素群を選択する
ことを特徴とする請求項１に記載の電気光学装置。
【請求項３】
前記選択手段は、前記第２期間において、前記２方向に前記複数の画素を走査して一の画素群を選択する
ことを特徴とする請求項１または２に記載の電気光学装置。
【請求項４】
前記選択手段は、前記第１期間において、前記２方向に前記複数の画素を走査して一の画素群を選択する
ことを特徴とする請求項１または２に記載の電気光学装置。
【請求項５】
請求項１ないし４のいずれか一項に記載の電気光学装置を有する電子機器。
【発明の詳細な説明】
【技術分野】
【０００１】
本発明は、３Ｄ表示を行う電気光学装置に関する。
【背景技術】
【０００２】
近年、３Ｄ表示（立体表示）を行う技術が開発されている。特許文献１は、左目用画像と右目用画像とを時分割で表示する技術を開示している。ユーザは、シャッター付きの眼鏡（以下「シャッター眼鏡」という）を介してこの映像を視認する。左目用画像が表示されているときは眼鏡の右目部のシャッターが閉じられ、右目用画像が表示されているときは眼鏡の左目部のシャッターが閉じられる。この装置を用いることにより、左目および右目で異なる画像が視認され、３Ｄ映像が知覚される。
【０００３】
シャッター眼鏡を用いて３Ｄ映像を視聴する場合、いわゆるクロストークが発生する問題が知られている。クロストークとは、右目用画像の一部が左目に、左目用画像の一部が右目に、それぞれ漏れる現象をいう。クロストークを抑制する方法として、表示装置を例えば２Ｄ表示時の４倍という高速で駆動する方法がある。この場合、表示装置は、左目用画像および右目用画像をそれぞれ２回ずつ繰り返して表示する。シャッター眼鏡は、画像が繰り返し表示される期間のうち、例えば２回目の一部期間のみシャッターを開く。この方法を用いることにより、原理的にはクロストークを抑制することができる。しかし、例えば液晶表示装置のように、表示素子の光学状態が変化する応答時間が無視できない場合、この応答時間に起因して、表示装置の面内で階調に分布（ムラ）が生じてしまうことがある。より具体的な例としては、パネルの上から下に向かって画素を１行ずつ走査して書き込みを行う液晶表示装置において、最下行の画素の書き込みを行った直後は、その画素の光学状態は所望の状態には変化しておらず、同じ階調にしようとしても、最上行の画素と差が生じてしまう。この問題を解決する方法として、パネルの走査方向に応じて階調を補償する技術が知られている（特許文献２）。
【先行技術文献】
【特許文献】
【０００４】
【特許文献１】特開平９−１３８３８４号公報
【特許文献２】特開２０１０−２３９４７４号公報
【発明の開示】
【発明が解決しようとする課題】
【０００５】
特許文献２に記載された技術においては、画素の位置に応じて異なる駆動制御を行ったり、異なる映像処理（画像処理）を行う必要があった。
これに対し本発明は、画素の位置に応じて異なる駆動制御および異なる映像処理によらずに、走査方向に応じた階調ムラを視認されにくくする技術を提供する。
【課題を解決するための手段】
【０００６】
本発明は、２次元配置された複数の画素と、開状態又は閉状態になる右目用の第１シャッターおよび開状態又は閉状態になる左目用の第２シャッターを有する３Ｄ眼鏡における前記第１シャッターおよび前記第２シャッターの開閉の制御を行う制御手段と、前記複数の画素を第１方向に走査して一の画素群を選択する選択手段であって、前記第１シャッターおよび前記第２シャッターの双方が閉状態である第１期間ならびに前記第１シャッターおよび前記第２シャッターの少なくとも一方が開状態である第２期間の少なくとも一方の期間において、第１方向および前記第１方向と反対方向の第２方向の２方向に前記複数の画素を走査して一の画素群を選択する選択手段と、前記選択手段により選択されている前記一の画素群に対応する階調値を示す信号を、前記一の画素群に供給する供給手段とを有する電気光学装置を提供する。
この電気光学装置によれば、複数の画素を１方向のみに走査する場合と比較して、走査方向に応じた階調ムラを視認されにくくすることができる。
【０００７】
好ましい態様において、前記複数の画素は、列方向である前記第１方向および前記第１方向と直交する行方向に沿って２次元配置され、前記選択手段は、前記複数の画素のうち、奇数行の画素および偶数行の画素の一方を前記第１方向に走査し、他方を前記第２方向に走査して、前記一の画素群を選択してもよい。
この電気光学装置によれば、階調ムラを複数の画素の全体的に視認されにくくすることができる。
【０００８】
別の好ましい態様において、前記選択手段は、前記第２期間において、前記２方向に前記複数の画素を走査して一の画素群を選択してもよい。
この電気光学装置によれば、第２期間において２方向の走査を行わない場合と比較して、走査方向に応じた階調ムラを視認されにくくすることができる。
【０００９】
さらに別の好ましい態様において、前記選択手段は、前記第１期間において、前記２方向に前記複数の画素を走査して一の画素群を選択してもよい。
この電気光学装置によれば、第１期間において２方向の走査を行わない場合と比較して、走査方向に応じた階調ムラを視認されにくくすることができる。
【００１０】
また、本発明は、上記いずれかの電気光学装置を有する電子機器を提供する。
この電子機器によれば、複数の画素を１方向のみに走査する場合と比較して、走査方向に応じた階調ムラを視認されにくくすることができる。
【図面の簡単な説明】
【００１１】
【図１】プロジェクター２０００の構成を示す図。
【図２】電気光学装置２１００の機能構成を示す図。
【図３】電気光学装置２１００の回路構成を示す図。
【図４】画素１１１の等価回路を示す図。
【図５】液晶パネル１００の駆動方法を示すタイミングチャート。
【図６】走査信号Ｙを例示する図。
【図７】左目用画像ブロックにおける液晶パネル１００の状態を示す模式図。
【図８】比較例に係る液晶パネルの駆動方法を示すタイミングチャート。
【図９】左目用画像ブロックにおける比較例に係る液晶パネルの状態を示す模式図。
【図１０】変形例１に係る駆動方法を示すタイミングチャート。
【発明を実施するための形態】
【００１２】
（１．構成）
図１は、一実施形態に係るプロジェクター２０００（電子機器の一例）の構成を示す平面図である。プロジェクター２０００は、入力された映像信号に応じた画像をスクリーン３０００に投射する装置である。プロジェクター２０００は、ライトバルブ２１０、ランプユニット２２０、光学系２３０、ダイクロイックプリズム２４０、および投射レンズ２５０を有する。ランプユニット２２０は、例えばハロゲンランプの光源を有する。光学系２３０は、ランプユニット２２０から射出された光を複数の波長帯、例えばＲ（赤）、Ｇ（緑）、Ｂ（青）の３原色に分離する。より詳細には、光学系２３０は、ダイクロイックミラー２３０１、ミラー２３０２、第１マルチレンズ２３０３、第２マルチレンズ２３０４、偏光変換素子２３０５、重畳レンズ２３０６、レンズ２３０７、および集光レンズ２３０８を有する。ランプユニット２２０から射出された投射光は、第１マルチレンズ２３０３、第２マルチレンズ２３０４、偏光変換素子２３０５、重畳レンズ２３０６を通過し、２枚のダイクロイックミラー２３０１および３枚のミラー２３０２によってＲ（赤）、Ｇ（緑）、Ｂ（青）の３原色に分離される。分離された各光は、集光レンズ２３０８を介して、各原色に対応するライトバルブ２１０Ｒ、２１０Gおよび２１０Bにそれぞれ導かれる。なお、Ｂ光は、Ｒ光、Ｇ光と比較すると、光路が長いことによる損失を防ぐために、３枚のレンズ２３０７を用いたリレーレンズ系を介して導かれる。
【００１３】
ライトバルブ２１０Ｒ、２１０Ｇ、および２１０Ｂは、光を変調する装置であり、それぞれ、液晶パネル１００Ｒ、１００Ｇ、および１００Ｂを有する。液晶パネル１００には、各色の縮小画像が形成される。液晶パネル１００Ｒ、１００Ｇ、１００Ｂによってそれぞれ形成された縮小画像、すなわち、変調光は、ダイクロイックプリズム２４０に３方向から入射する。ダイクロイックプリズム２４０において、Ｒ光およびＢ光は９０度に反射され、Ｇ光は直進する。したがって、各色の画像が合成された後、スクリーン３０００には、投射レンズ２５０によってカラー画像が投射される。
【００１４】
なお、液晶パネル１００Ｒ、１００Ｇ、１００Ｂには、ダイクロイックミラー２３０１によって、Ｒ色、Ｇ色、Ｂ色のそれぞれに対応する光が入射するので、カラーフィルタを設ける必要はない。また、液晶パネル１００Ｒ、１００Ｂの透過像は、ダイクロイックプリズム２４０により反射した後に投射されるのに対し、表示パネル１００Ｇの透過像はそのまま投射される。したがって、液晶パネル１００Ｒ、１００Ｂによる水平走査方向は、表示パネル１００Ｇによる水平走査方向と逆向きにされており、液晶パネル１００Ｒ、１００Ｂには左右を反転させた像が表示される。
【００１５】
図２は、プロジェクター２０００に含まれる電気光学装置２１００の機能構成を示す図である。電気光学装置２１００は、液晶パネル１００と、眼鏡制御手段２１（制御手段の一例）と、選択手段２２と、供給手段２３とを有する。また、シャッター眼鏡４０００は、シャッター制御手段４１と、左目用シャッター４２と、右目用シャッター４３とを有する。左目用シャッター４２および右目用シャッター４３は、それぞれ左目用および右目用のシャッターであり、独立して開状態または閉状態になる。眼鏡制御手段２１は、左目用シャッター４２および右目用シャッター４３の開閉の制御を行う。より具体的には、眼鏡制御手段２１は、左目用シャッター４２および右目用シャッター４３の開閉のタイミングを示す同期信号を出力する。シャッター制御手段４１は、眼鏡制御手段２１から出力された同期信号に応じて、左目用シャッター４２および右目用シャッター４３の開閉の制御を行う。液晶パネル１００は、後述するように複数の画素を有する。選択手段２２は、複数の画素を走査して一の画素群を選択する。選択手段２２は、左目用シャッター４２および右目用シャッター４３の双方が閉状態である第１期間ならびに左目用シャッター４２および右目用シャッター４３の少なくとも一方が開状態である第２期間の少なくとも一方の期間において、第１方向および第１方向と異なる第２方向の２方向に複数の画素を走査して一の画素群を選択する。供給手段２３は、選択手段２２により選択されている一の画素群に対応する階調値を示す信号を、一の画素群に供給する。
【００１６】
この例で、複数の画素は、すなわち、列方向および行方向に沿って２次元配置されている。選択手段２２は、複数の画素のうち、奇数行の画素および偶数行の画素の一方を第１方向に走査し、他方を第１方向と反対方向の第２方向に走査して、一の画素群を選択する。
【００１７】
図３は、電気光学装置２１００の回路構成を示すブロック図である。プロジェクター２０００は、制御回路１０と、シャッター眼鏡制御部５０と、液晶パネル１００と、走査線駆動回路１３０と、走査線駆動回路１３１と、データ線駆動回路１４０とを有する。プロジェクター２０００は、上位装置から供給される映像信号Ｖｉｄ−ｉｎにより示される画像を、同期信号Ｓｙｎｃに基づいたタイミングで、液晶パネル１００に表示する装置である。
【００１８】
液晶パネル１００は、供給される信号に応じた画像を表示する装置である。液晶パネル１００は、表示領域１０１を有する。表示領域１０１には、複数の画素１１１が配置されている。この例では、ｍ行ｎ列の画素１１１がマトリクス状に配置されている。液晶パネル１００は、素子基板１００ａと、対向基板１００ｂと、液晶層１０５とを有する。素子基板１００ａおよび対向基板１００ｂは一定の間隔を保って貼り合わせられている。素子基板１００ａおよび対向基板１００ｂの間隙には、液晶層１０５が挟まれている。素子基板１００ａには、ｍ行の走査線１１２およびｎ本のデータ線１１４が設けられている。走査線１１２およびデータ線１１４は、対向基板１００ｂと対向する面に設けられている。走査線１１２とデータ線１１４とは、電気的に絶縁されている。走査線１１２とデータ線１１４との交差に対応して、画素１１１が設けられている。液晶パネル１００は、ｍ×ｎ個の画素１１１を有する。以下において、複数の走査線１１２を区別する場合には、図３において上から順に、第１、第２、第３、…、第（ｍ−１）、第ｍ行の走査線１１２という。同様に、複数のデータ線１１４を区別する場合には、図３において左から順に、第１、第２、第３、…、第（ｎ−１）、第ｎ列のデータ線１１４という。なお、図３において、素子基板１００ａの対向面は紙面裏側であるので、この対向面に設けられる画素１１１、走査線１１２、およびデータ線１１４については破線で示すべきであるが、見難くなるので、それぞれ実線で示している。
【００１９】
対向基板１００ｂには、コモン電極１０８が設けられている。コモン電極１０８は、素子基板１００ａと対向する１面に設けられている。コモン電極１０８は、すべての画素１１１について共通である。すなわち、コモン電極１０８は、対向基板１００ｂのほぼ全面にわたって設けられている、いわゆるベタ電極である。
【００２０】
図４は、画素１１１の等価回路を示す図である。画素１１１は、ＴＦＴ１１６、液晶素子１２０、および容量素子１２５を有する。ＴＦＴ１１６は、液晶素子１２０への電圧の印加を制御するスイッチング手段の一例であり、この例ではｎチャネル型の電界効果トランジスターである。液晶素子１２０は、印加される電圧に応じて光学状態が変化する素子である。この例で、液晶パネル１００は透過型の液晶パネルであり、変化する光学状態は透過率である。液晶素子１２０は、画素電極１１８、液晶層１０５、およびコモン電極１０８を有する。画素電極１１８は、各画素１１１に個別に設けられている。第ｉ行第ｊ列の画素１１１において、ＴＦＴ１１６のゲートおよびソースは、それぞれ、第ｉ行の走査線１１２および第ｊ列のデータ線１１４に接続されている。ＴＦＴ１１６のドレインは、画素電極１１８に接続されている。容量素子１２５は、画素電極１１８に書き込まれた電圧を保持する素子である。容量素子１２５の一端は画素電極１１８に接続されており、他端は容量線１１５に接続されている。
【００２１】
第ｉ行の走査線１１２にＨレベルの電圧を示す信号が入力されると、ＴＦＴ１１６のソース・ドレイン間は導通する。ＴＦＴ１１６のソース・ドレイン間が導通すると、画素電極１１８は、（ＴＦＴ１１６のソース・ドレイン間のオン抵抗を無視すれば）第ｊ列のデータ線１１４と同電位になる。第ｊ列のデータ線１１４には、映像信号Ｖｉｄ−ｉｎに応じて、第ｉ行第ｊ列の画素１１１の階調値に応じた電圧（以下、「データ電圧」といい、データ電圧を示す信号を「データ信号」という）が印加される。コモン電極１０８には、図示しない回路により、共通電位ＬＣｃｏｍが与えられる。容量線１１５には、図示しない回路により、時間的に一定の電位Ｖｃｏｍ（この例では、Ｖｃｏｍ＝ＬＣｃｏｍ）が与えられる。すなわち、液晶素子１２０には、データ電圧と共通電位ＬＣｃｏｍとの差に応じた電圧が印加される。以下、液晶層１０５がＶＡ（Vertical Alignment）型であり、電圧無印加時において液晶素子１２０の階調が暗状態（黒状態）となるノーマリーブラックモードである例を用いて説明する。なお、特に説明しない限り、図示を省略した接地電位を電圧の基準（ゼロＶ）とする。
【００２２】
再び図３を参照する。制御回路１０は、走査線駆動回路１３０、走査線駆動回路１３１およびデータ線駆動回路１４０を制御するための信号を出力する制御装置である。制御回路１０は、走査制御回路２０、映像処理回路３０、およびフレームメモリー４０を有する。走査制御回路２０は、同期信号Ｓｙｎｃに基づいて、制御信号Ｘｃｔｒ、制御信号Ｙｃｔｒ、および制御信号Ｉｃｔｒを生成し、生成した信号を出力する。制御信号Ｘｃｔｒは、データ線駆動回路１４０を制御するための信号であり、例えば、データ信号を供給するタイミング（水平走査期間の始期）を示す。制御信号Ｙｃｔｒは、走査線駆動回路１３０および走査線駆動回路１３１を制御するための信号であり、例えば、走査信号を供給するタイミング（垂直走査期間の始期）を示す。制御信号Ｉｃｔｒは、映像処理回路３０を制御するための信号であり、例えば、信号処理のタイミングおよび印加電圧の極性を示す。映像処理回路３０は、デジタル信号である映像信号Ｖｉｄ−ｉｎを、制御信号Ｉｃｔｒにより示されるタイミングで処理して、アナログ信号であるデータ信号Ｖｘとして出力する。映像信号Ｖｉｄ−ｉｎは、画素１１１の階調値をそれぞれ指定するデジタルデータである。このデジタルデータにより示される階調値は、同期信号Ｓｙｎｃに含まれる垂直走査信号、水平走査信号およびドットクロック信号に従った順番で、データ信号Ｖｘにより供給される。フレームメモリー４０は、１フレーム分（または複数フレーム分）の画像データを記憶するメモリーである。
【００２３】
走査線駆動回路１３０および走査線駆動回路１３１は、制御信号Ｙｃｔｒに従って、走査信号Ｙを出力する回路である。この例で、走査線駆動回路１３０は、奇数行すなわち第（２ｇ＋１）行の走査線１１２に対し、走査信号Ｙを出力する。走査線駆動回路１３１は、偶数行すなわち第（２ｇ＋２）行の走査線１１２に対し、走査信号Ｙを出力する。なお、ｇは０を含む自然数である。第ｉ行の走査線１１２に供給される走査信号を、走査信号Ｙｉという。この例で、走査信号Ｙｉは、ｍ本の走査線１１２の中から一の走査線１１２を順次排他的に選択するための信号である。走査信号Ｙｉは、選択される走査線１１２に対しては選択電圧（Ｈレベル）となり、それ以外の走査線１１２に対しては非選択電圧（Ｌレベル）となる信号である。
【００２４】
データ線駆動回路１４０は、制御信号Ｘｃｔｒに従って、データ信号Ｖｘをサンプリングしてデータ信号Ｘを出力する回路である。第ｊ列のデータ線１１４に供給されるデータ信号を、データ信号Ｘｊという。
【００２５】
シャッター眼鏡制御部５０は、シャッター眼鏡４０００におけるシャッターの開閉動作のタイミングを示す同期信号を生成し、生成した同期信号を出力する。シャッター眼鏡４０００は、左目用シャッター４２および右目用シャッター４３を有している。左目用シャッター４２および右目用シャッターは４３、それぞれ、透過型の液晶パネルにより形成され、電気信号により開状態または閉状態になる。開状態とは、透過率が所定のしきい値（例えば９０％）以上である状態をいう。閉状態とは、透過率が所定のしきい値（例えば１０％）以下である状態をいう。左目用シャッター４２および右目用シャッター４３の開閉状態は、それぞれ独立に制御される。
【００２６】
シャッター眼鏡制御部５０は、眼鏡制御手段２１の一例である。走査線駆動回路１３０および走査線駆動回路１３１は、選択手段２２の一例である。データ線駆動回路１４０は、供給手段２３の一例である。
【００２７】
（２．動作）
図５は、液晶パネル１００の駆動方法を示すタイミングチャートである。画像は１フレームごとに（この例では１フレームに複数回）書き替えられる。例えば、フレーム速度は６０フレーム／秒、すなわち垂直同期信号Ｓｙｎｃの周波数は６０Ｈｚであり、１フレーム期間（以下、単に「１フレーム」という）は１６．７ミリ秒（１／６０秒）である。この例で、１フレームは第１〜第４ブロックの４つのブロックに分割される。これら４つのブロックの時間長は等しく、それぞれ１／４フレームである。これら４つのブロックのうち、第１ブロックおよび第３ブロックはクロストーク対策ブロック（第１期間の一例）であり、第２ブロックは左目用画像ブロックであり、第４ブロックは右目用画像ブロックである（左目用画像ブロックおよび右目用画像ブロックは、第２期間の一例）。各ブロックにおいて、データ信号Ｖｘは、それぞれ対応する画像を示す。クロストーク対策ブロックにおいては、クロストーク対策画像が表示される。クロストーク対策画像とは、右目と左目とのクロストークを低減するための画像であり、この例では全面が黒の画像が用いられる。透過率ＴＬおよびＴＲは、それぞれ、シャッター眼鏡４０００における左目用シャッター４２および右目用シャッター４３の透過率を示している。左目用シャッター４２は左目用画像ブロックで開状態になり、右目用シャッター４３は右目用画像ブロックで開状態になる。それ以外のブロックでは、左目用シャッター４２および右目用シャッター４３はともに閉状態になる。
【００２８】
図６は、走査信号Ｙを例示する図である。ここでは、液晶パネル１００が７６８本の走査線１１２を有する例（すなわちｍ＝７６８である例）を示している。各ブロックにおいて、走査線１１２は図３のＹ軸正方向（以下「上から下」という）およびＹ軸負方向（以下「下から上」という）の２方向、すなわち、走査線の番号が増加する方向と減少する方向の２方向に走査される。より具体的には、奇数行の走査線１１２は、上から下に走査され、偶数行の走査線１１２は、下から上に走査される。走査線１１２は、第１行、第７６８行、第３行、第７６６行、第５行、第７６４行、…、第７６３行、第６行、第７６５行、第４行、第７６７行、第６行の順番で走査される。
【００２９】
図７は、左目用画像ブロックにおける液晶パネル１００の状態を示す模式図である。ここでは、左目用画像として全面が白の画像が書き込まれた例を用いて説明する。パネル上部（図７（Ａ））においては、奇数行の画素１１１への書き込みはブロックの初期に行われ、偶数行の画素１１１への書き込みはブロックの終期に行われる。奇数行においては書き込みが行われてから十分な時間が経過しており、階調は白になっている。偶数行においては書き込みが行われてから十分な時間が経過しておらず、階調は黒のままである。なお、実際には偶数行の階調は完全に黒のままではないが、ここでは説明のため極端な例を示している。パネル下部（図７（Ｂ））においては、パネル上部と逆に、偶数行の画素１１１への書き込みはブロックの初期に行われ、奇数行の画素１１１への書き込みはブロックの終期に行われる。偶数行においては書き込みが行われてから十分な時間が経過しており、階調は白になっている。奇数行においては書き込みが行われてから十分な時間が経過しておらず、階調は黒のままである。パネル中部（図７（Ｃ））においては、奇数行および偶数行の画素１１１への書き込みは、ほぼ同時期（ブロックの中期）に行われる。書き込みが行われてから中間の時間が経過しており、階調は中間調になっている。このように、パネル上部、中部、および下部のいずれにおいても、平均してみれば中間調になっている。
【００３０】
図８は、比較例に係る液晶パネルの駆動方法を示すタイミングチャートである。各ブロックにおいて、走査線１１２は、上から下の１方向のみに走査される。
【００３１】
図９は、左目用画像ブロックにおける比較例に係る液晶パネルの状態を示す模式図である。ここでは、図７の例と同様に、左目用画像として全面が白の画像が書き込まれた例を用いて説明する。パネル上部（図９（Ａ））においては、画素１１１への書き込みはブロックの初期に行われる。書き込みが行われてから十分な時間が経過しており、階調は白になっている。パネル下部（図９（Ｂ））においては、パネル上部と逆に、画素１１１への書き込みはブロックの終期に行われる。書き込みが行われてから十分な時間が経過しておらず、階調は黒のままである。パネル中部（図７（Ｃ））においては、奇数行および偶数行の画素１１１への書き込みは、ほぼ同時期（ブロックの中期）に行われる。書き込みが行われてから中間の時間が経過しており、階調は中間調になっている。このように、比較例においては、パネル上部は全体的に白っぽく、下部に向かうにつれ徐々に黒っぽい階調になっている。
【００３２】
比較例によれば、走査線１１２の走査方向に応じて、液晶パネルにおいて表現される階調は、場所によって異なっていた。具体的には、ブロックの初期に選択される走査線１１２に対応する領域の階調はより黒っぽく、ブロックの初期に選択される走査線１１２に対応する領域の階調はより白っぽくなってしまった（図９）。しかし、本実施形態によれば、全体として階調は均一になり、走査方向に応じた階調ムラは視認されにくくなる。
【００３３】
（変形例）
本発明は上述の実施形態に限定されるものではなく、種々の変形実施が可能である。以下、変形例をいくつか説明する。以下の変形例のうち２つ以上のものが組み合わせて用いられてもよい。
【００３４】
（変形例１）
図１０は、液晶パネル１００の変形例１に係る駆動方法を示すタイミングチャートである。液晶パネル１００の駆動方法は、図５で例示したものに限定されない。この例で、クロストーク対策ブロックと左目用画像ブロック（右目用画像ブロック）との時間長は同一ではなく、クロストーク対策ブロックの方が短い。また、各ブロックにおいて、走査線１１２の走査は複数回行われる。図１０には、クロストーク対策ブロックにおいて２回、左目用画像ブロックおよび右目用画像ブロックにおいて６回、走査線１１２の走査が行われる。走査線１１２の走査は、実施形態で説明したように２方向に行われる。このような駆動方法においても、上から下の１方向のみの走査を行う場合と比較して、走査方向に応じた階調ムラは視認されにくくなる。
【００３５】
（変形例２）
２方向走査の具体例は、実施形態で説明したものに限定されない。例えば、第１行、第３行、第７６８行、第７６６行、第５行、第７行、第７６４行、第７６２行、…というように、奇数行は上から下に２行ずつ、偶数行は下から上に２行ずつ走査されてもよい。別の例で、第１行、第７６８行、第２行、第７６７行、第３行、第７６６行、…というように、奇数行と偶数行とを分けず、上から下に１行ずつ、下から上に１行ずつの走査を交互に行ってもよい。なおこの例では、パネル中部と上部および中部と下部を比較すると階調ムラが視認される可能性があるが、パネル上部と下部の階調ムラは、１方向走査と比較して視認されにくい。
【００３６】
（変形例３）
実施形態では、１フレームの全期間に渡って２方向走査が行われる例を説明したが、１フレームの一部の期間のみにおいて２方向走査が行われ、他の期間は１方向走査が行われてもよい。例えば、クロストーク対策ブロックにおいて２方向走査が行われ、左目用画像ブロックおよび右目用画像ブロックにおいて１方向走査が行われてもよい。別の例で、クロストーク対策ブロックにおいて１方向走査が行われ、左目用画像ブロックおよび右目用画像ブロックにおいて２方向走査が行われてもよい。いずれの場合も、１方向走査のみが行われる場合と比較して、階調ムラを視認されにくくすることができる。
【００３７】
（変形例４）
クロストーク対策ブロックにおいて表示される画像は、全面が黒の画像に限定されない。クロストーク対策ブロックにおいて、全面が白の画像が表示されてもよい。別の例で、クロストーク対策ブロックにおいて、次のブロックで表示される画像が表示されてもよい。すなわち図５の例で、第１ブロックにおいて左目用画像が、第３ブロックにおいて右目用画像が、それぞれ表示されてもよい。
【００３８】
（電子機器）
本発明に係る電子機器はプロジェクターに限定されない。テレビジョン、ビューファインダー型・モニタ直視型のビデオテープレコーダー、カーナビゲーション装置、ページャー、電子手帳、電卓、ワードプロセッサー、ワークステーション、テレビ電話、ＰＯＳ端末、デジタルスチルカメラ、携帯電話機、タッチパネルを備えた機器等に本発明が用いられてもよい。
【００３９】
電気光学装置２１００の構成は、図３で例示したものに限定されない。図２の機能を実現できるものであれば、電気光学装置２１００は、どのような構成を有していてもよい。例えば、電気光学装置２１００に用いられる電気光学素子は、液晶素子１２０に限定されない。液晶素子１２０に代わり、有機ＥＬ（Electro-Luminescence）素子等、他の電気光学素子が用いられてもよい。
実施形態で説明したパラメーター（例えば、フレーム速度、画素数など）および信号の極性やレベルはあくまで例示であり、本発明はこれに限定されない。
【符号の説明】
【００４０】
１０…制御回路、２０…走査制御回路、２１…眼鏡制御手段、２２…選択手段、２３…供給手段、３０…映像処理回路、４１…シャッター制御手段、４２…左目用シャッター、４３…右目用シャッター、５０…シャッター眼鏡制御部、１００…液晶パネル、１０１…表示領域、１０５…液晶層、１０８…コモン電極、１１１…画素、１１２…走査線、１１４…データ線、１１６…ＴＦＴ、１１８…画素電極、１２０…液晶素子、１２５…容量素子、１３０…走査線駆動回路、１３１…走査線駆動回路、１４０…データ線駆動回路、２１０…ライトバルブ、２２０…ランプユニット、２３０…光学系、２４０…ダイクロイックプリズム、２５０…投射レンズ、２０００…プロジェクター、２１００…電気光学装置、２３０１…ダイクロイックミラー、２３０２…ミラー、２３０３…第１マルチレンズ、２３０４…第２マルチレンズ、２３０５…偏光変換素子、２３０６…重畳レンズ、２３０７…レンズ、２３０８…集光レンズ、３０００…スクリーン、４０００…シャッター眼鏡
【図１】
2013064919.tif 000003
【図２】
2013064919.tif 000004
【図３】
2013064919.tif 000005
【図４】
2013064919.tif 000006
【図５】
2013064919.tif 000007
【図６】
2013064919.tif 000008
【図７】
2013064919.tif 000009
【図８】
2013064919.tif 000010
【図９】
2013064919.tif 000011
【図１０】
2013064919.tif 000012